(57)【要約】【課題】従来の電気掃除機において、搭載している脱臭フィルタと排気空気との接触時間が短く、脱臭効率が小さく臭気の低減も小さいという課題を有していた。【解決手段】吸引された塵埃を捕集する塵埃捕集手段３と、塵埃の臭いを脱臭する脱臭剤４５と、前記脱臭剤４５を前記塵埃捕集手段３に投入する投入手段（脱臭用電動機）６８と、前記脱臭剤４５の投入の有無および投入量を制御する脱臭投入可変手段６７と、集塵経路内にゴミの通過を検出する発光素子と受光素子からなる塵埃検出手段６２と、前記塵埃検出手段６２に応じて脱臭投入可変手段６７を制御する判断手段（判断制御手段）６３を備え、ゴミの検出量が予め設定された検出量を超えたときに脱臭剤４５を塵埃捕集手段３に投入する電気掃除機とした。これにより、脱臭効率が向上し、臭気の低減も可能にした電気掃除機が提供できる。【選択図】図８
2007111086.tif 000002
【特許請求の範囲】
【請求項１】
吸引力を発生する電動送風機と、吸引された塵埃を捕集する塵埃捕集手段と、塵埃の臭いを脱臭する脱臭剤と、前記脱臭剤を前記塵埃捕集手段に投入する投入手段と、前記脱臭剤の投入量を制御する脱臭投入可変手段と、集塵経路内を通過した塵埃の量を検出する塵埃検出手段と、前記塵埃検出手段に応じて脱臭投入可変手段を制御する制御手段とを備え、前記塵埃検出手段が検出した塵埃の量が予め設定した値以上になったときに、前記脱臭剤を前記塵埃捕集手段に投入することを特徴とする電気掃除機。
【請求項２】
塵埃検出手段は塵埃の大きさを検出できる複数の増幅手段を備え、塵埃捕集手段に脱臭剤を投入する際の予め設定する塵埃の量を、大きさの異なった塵埃のそれぞれの量によって可変可能とすることを特徴とする請求項１記載の電気掃除機。
【請求項３】
吸引力を発生する電動送風機と、吸引された塵埃を捕集する塵埃捕集手段と、塵埃の臭いを脱臭する脱臭剤と、前記脱臭剤を前記塵埃捕集手段に投入する投入手段と、前記脱臭剤の投入量を制御する脱臭投入可変手段と、風量または圧力または電動送風機の回転数および電流値によって風量を検出する風量検出手段と、前記風量検出手段に応じて脱臭投入可変手段を制御する制御手段とを備え、前記風量検出手段が検出した風量が予め設定した値以下のときに、前記脱臭剤を前記塵埃捕集手段に投入することを特徴とする電気掃除機。
【請求項４】
吸引力を発生する電動送風機と、吸引された塵埃を捕集する塵埃捕集手段と、塵埃の臭いを脱臭する脱臭剤と、前記脱臭剤を前記塵埃捕集手段に投入する投入手段と、前記脱臭剤の投入量を制御する脱臭投入可変手段と、前記電動送風機の動作時間を計時する動作計時手段と、前記動作計時手段に応じて脱臭投入可変手段を制御する制御手段とを備え、前記動作計時手段が計時した動作時間が予め設定した値以上になったときに、前記脱臭剤を前記塵埃捕集手段に投入することを特徴とする電気掃除機。
【請求項５】
吸引力を発生する電動送風機と、吸引された塵埃を捕集する塵埃捕集手段と、塵埃の臭いを脱臭する脱臭剤と、前記脱臭剤を前記塵埃捕集手段に投入する投入手段と、前記電動送風機をＯＮ、ＯＦＦする操作手段と、前記操作手段に応じて前記投入手段を制御する制御手段とを備え、前記電動送風機をＯＦＦしたときに、前記脱臭剤を前記塵埃捕集手段に投入することを特徴とする電気掃除機。
【発明の詳細な説明】
【技術分野】
【０００１】
本発明は、集塵された塵埃の臭いを抑制するための消臭剤の投入の制御に関するものである。
【背景技術】
【０００２】
従来から電気掃除機の排気脱臭に関しては、排気経路に脱臭フィルタを搭載する構成のものが提案されている（例えば、特許文献１参照）。
【特許文献１】特許第３２３８０５５号公報
【発明の開示】
【発明が解決しようとする課題】
【０００３】
しかしながら、上記の排気経路に脱臭フィルタを搭載する方法では、電気掃除機の吸引量が大きいため、脱臭フィルタと臭気を含む排気空気との接触時間が短くなり、脱臭効率が小さく臭気の低減も小さいという課題を有するものであった。
【０００４】
本発明は、上記の課題を解決するものであり、脱臭剤を直接集塵部に投入し、塵埃の臭気を除去することにより、排気の臭気を大幅に低減した電気掃除機を提供することを目的としている。
【課題を解決するための手段】
【０００５】
前記従来の課題を解決するために、本発明の電気掃除機は、吸引力を発生する電動送風機と、吸引された塵埃を捕集する塵埃捕集手段と、塵埃の臭いを脱臭する脱臭剤と、前記脱臭剤を前記塵埃捕集手段に投入する投入手段と、前記脱臭剤の投入量を制御する脱臭投入可変手段と、集塵経路内を通過した塵埃の量を検出する塵埃検出手段と、前記塵埃検出手段に応じて脱臭投入可変手段を制御する制御手段とを備え、前記塵埃検出手段が検出した塵埃の量が予め設定した値以上になったときに、前記脱臭剤を前記塵埃捕集手段に投入するようにしたものである。
【０００６】
これにより塵埃の集塵量によって消臭手段の投入量が決められるため、塵埃の集塵量に応じた消臭効果が得られる適正量が投入できる。
【発明の効果】
【０００７】
本発明の電気掃除機は、塵埃の集塵量によって消臭手段の投入量が決められるため、脱臭効果が得られるゴミの集塵量毎に適正量が投入でき、塵埃を確実に脱臭手段で覆えるようになり、より使用性が向上した電気掃除機を提供することができる。
【発明を実施するための最良の形態】
【０００８】
第１の発明は、吸引力を発生する電動送風機と、吸引された塵埃を捕集する塵埃捕集手段と、塵埃の臭いを脱臭する脱臭剤と、前記脱臭剤を前記塵埃捕集手段に投入する投入手段と、前記脱臭剤の投入量を制御する脱臭投入可変手段と、集塵経路内を通過した塵埃の量を検出する塵埃検出手段と、前記塵埃検出手段に応じて脱臭投入可変手段を制御する制御手段とを備え、前記塵埃検出手段が検出した塵埃の量が予め設定した値以上になったときに、前記脱臭剤を前記塵埃捕集手段に投入するもので、塵埃の集塵量によって消臭手段の投入量が決められるため、塵埃の集塵量に応じた消臭効果が得られる適正量が投入できるようになるものである。
【０００９】
第２の発明は、第１の発明に加えて、塵埃検出手段は塵埃の大きさを検出できる複数の増幅手段を備え、塵埃捕集手段に脱臭剤を投入する際の予め設定する塵埃の量を、大きさの異なった塵埃のそれぞれの量によって可変可能とするもので、より精度よく塵埃の集塵量に応じた消臭効果が得られる適正量が投入できるようになるものである。
【００１０】
第３の発明は、吸引力を発生する電動送風機と、吸引された塵埃を捕集する塵埃捕集手段と、塵埃の臭いを脱臭する脱臭剤と、前記脱臭剤を前記塵埃捕集手段に投入する投入手段と、前記脱臭剤の投入量を制御する脱臭投入可変手段と、風量または圧力または電動送風機の回転数および電流値によって風量を検出する風量検出手段と、前記風量検出手段に応じて脱臭投入可変手段を制御する制御手段とを備え、前記風量検出手段が検出した風量が予め設定した値以下のときに、前記脱臭剤を前記塵埃捕集手段に投入するもので、塵埃の集塵量によって消臭手段の投入量が決められるため、塵埃の集塵量に応じた消臭効果が得られる適正量が投入できるようになるものである。
【００１１】
第４の発明は、吸引力を発生する電動送風機と、吸引された塵埃を捕集する塵埃捕集手段と、塵埃の臭いを脱臭する脱臭剤と、前記脱臭剤を前記塵埃捕集手段に投入する投入手段と、前記脱臭剤の投入量を制御する脱臭投入可変手段と、前記電動送風機の動作時間を計時する動作計時手段と、前記動作計時手段に応じて脱臭投入可変手段を制御する制御手段とを備え、前記動作計時手段が計時した動作時間が予め設定した値以上になったときに、前記脱臭剤を前記塵埃捕集手段に投入するもので、掃除時間によって塵埃の集塵量はある程度決まってくるため、掃除時間によって消臭手段の投入量を決めても、塵埃の集塵量に応じた消臭効果が得られる適正量が投入できるようになるものである。
【００１２】
第５の発明は、吸引力を発生する電動送風機と、吸引された塵埃を捕集する塵埃捕集手段と、塵埃の臭いを脱臭する脱臭剤と、前記脱臭剤を前記塵埃捕集手段に投入する投入手段と、前記電動送風機をＯＮ、ＯＦＦする操作手段と、前記操作手段に応じて前記投入手段を制御する制御手段とを備え、前記電動送風機をＯＦＦしたときに、前記脱臭剤を前記塵埃捕集手段に投入するもので、集塵した塵埃全部に脱臭手段が投入されるため簡単な構成で消臭効果が得られるものである。
【００１３】
以下、本発明の実施の形態について、図面を参照しながら説明する。なお、本実施の形態によって本発明が限定されるものではない。
【００１４】
（実施の形態１）
本発明の第１の実施の形態における電気掃除機について、図１〜７を用いて説明する。
【００１５】
図１は、本実施の形態における電気掃除機の全体斜視図、図２は、同電気掃除機の断面図である。図１において、１は掃除機本体で、後部に電動送風機２が配され、前部に、着脱自在で塵埃を捕集する塵埃捕集手段３であるダストボックスユニット４を収納するダストボックス収納部５が配され、後方下部の両側に１対の走行用の車輪６が回転自在に取着され、底面前部には、同じく走行用のキャスタ７が取着されている。掃除機本体１の前部には、ホース８の一端に設けた接続パイプ９が着脱自在に接続される吸気口１０が設けられている。
【００１６】
ホース８の他端には、掃除動作を操作する手元操作部１１を備えた先端パイプ１２が設けられている。１３は、伸縮自在或いは継ぎ自在の延長管で、下流側端部が前記先端パイプ１２に着脱自在に接続され、他端は、塵埃掻き揚げ用の回転ブラシ１４と、その回転ブラシ１４を回転駆動する電動機１５を内蔵した吸い込み具１６に着脱自在に接続される。
吸気口１０の上方には脱臭剤収納部４４を設けており、ダストボックス収納部５の後方には、脱臭用電動機６８（図示せず）の動作に連動して回転して後述の脱臭剤収納部４４への動力伝達手段収納部２０が設けられている。
【００１７】
図３は、動力伝達手段収納部２０の分解斜視図であり、３３はギヤボックスであり、クランクアーム３４一端に設けた軸受け３４ａに、クランクシャフト３５の軸中心の外側に設けた軸３５ａと、クランクシャフト軸受け３６の軸中心の外側に設けた軸３６ａに軸回転可能に固定されており、前記ギヤボックス３３に回転可能に取り付けられている。
【００１８】
次にクランクアーム３４他端に設けた軸受け３４ｂに摺動軸３７が固定されており、クランクシャフト３５の軸回転運動がクランクアーム３４を介して摺動軸３７で往復の直線運動に変換される。また、３８は摺動軸３７を固定させるための保持部材であり、ギヤボックス３３に固定される。
【００１９】
図４は、ワイヤ機構部３９の断面図である。両端に抜け止め４０ａと４０ｂを設けたワイヤ４０は被服４１に覆われており、抜け止め４０ａ側には前記摺動軸３７が、抜け止め４０ｂ側には摺動軸４１がそれぞれ固定されている。摺動軸４１の外側にはエアータイト用のパッキン４２と摺動軸受け４３が設けられており、摺動軸受け４３は摺動軸４１の摺動方向に向かって回動可能に取り付けられている。
【００２０】
よって、図４（ａ）は摺動軸３７と摺動軸４１が前方に押された状態であり、図４（ｂ）は摺動軸３７と摺動軸４１が後方に引かれた状態を示している。
【００２１】
図５は、脱臭用電動機６８の動作から脱臭剤収納部４４への回転力の伝達構成を示すもので、本体に支持されている脱臭用電動機６８の軸にギヤＡ２７が固定されており、またギヤＡ２７と噛み合うようにギヤＢ２８がクランクシャフト３５と同軸上に設けられている。
【００２２】
よって、脱臭用電動機６８の動作に応じて、その回転力がギヤＡ２７、ギヤＢ２８の順に伝達され、クランクシャフト３５が軸回転するようになりクランクアーム３４を介して摺動軸３７が往復の直線運動となり、図６で示した摺動軸３７に固定されたワイヤ４０を介して、摺動軸４１も同様の往復の直線運動となる。
【００２３】
次に、脱臭剤収納部４４の構成について図６、７を用いて説明する。
【００２４】
４５は略四角形状の脱臭剤であり、脱臭剤４５は粉末状ゼオライトをリン酸アルミをバインダとして、略四角形状に固めたものである。
【００２５】
また、脱臭剤４５は収納箱４６に収納され、収納箱４６上方には脱臭剤４５を押圧させるための弁４７がバネ４８で付勢されて蓋体４９に上下動自在に固定されている。蓋体４９は両側面につまみ釦５０、５１を、収納箱４６には前記つまみ釦５０、５１と係合する爪４６ａ、４６ｂを有しており、前記つまみ釦５０、５１を押さえると、爪４６ａ、４６ｂとの係合が外れて蓋体４９を上方向に引き上げることが可能となる。また引き上げられた蓋体４９を押さえて元の位置に戻すと、再度つまみ釦５０、５１と爪４６ａ、４６ｂが係合し蓋体４９と収納箱４６との固定ができる。
【００２６】
収納箱４６下方には脱臭剤４５を粒状化するための開口穴を有したメッシュ形状の切削刃５２と刃受台５３、刃押え枠５４および、切削刃５２と刃受台５３を往復動作させるための摺動軸４１がエアタイト用のパッキン４２と摺動軸受け４３とともに固定されている。また、刃受台５３下方には下ボディ１ａに固定されたパッキン５４が設けられており、前記パッキン５５両側面に設けられた開口穴５５ａ、５５ｂと、前記刃受台５３に設けた連通路５３ａ、５３ｂが連通するように固定されている。
【００２７】
次に、図８は、この電気掃除機の回路ブロック図で６０は電動送風機２を駆動するための双方向性サイリスタなどで構成された駆動手段である。６１はマイクロコンピュータなどで構成される判断制御手段である。判断制御手段６１は手元操作部１１からの操作信号を受けて判断し、駆動手段６０へ駆動信号を送る。６２は、塵埃検出部に収納され、赤外発光ダイオードとフォトトランジスタなどで構成された塵埃検出手段である。６４は、塵埃検出手段１０の出力信号をオペアンプやコンパレータなどで構成し、増幅機能とフィルタ機能を持たせている変換部で、塵埃検出手段６２で検出されたアナログ信号をパスル信号に変換して判断制御手段６１に伝達している。６５は塵埃検出信号を受けてカウントする塵埃計数手段であり、掃除開始から終了までのゴミパスル数の蓄積を行っている。６６はゴミパルスの蓄積数を記憶する記憶手段で、終了したときの蓄積パルス数を記憶しておき、次回の掃除時には記憶された値からカウント数を蓄積していく。この記憶手段６６はゴミの蓄積量に対して精度よく脱臭剤４５を投入させるもので必ずしも必要でないことは言うまでもない。６７は脱臭用電動機６８を駆動させるためのトランジスタなどで構成された脱臭投入可変手段でマイクロコンピュータ６１からの信号によって動作する。６９は脱臭剤投入量を可変する投入量操作部で使用者によって複数段階で投入量が設定できるようになっている。
【００２８】
以下、その動作を説明する。
【００２９】
まず、本体１を商用電源（図示せず）に接続し、使用者は手元操作部１１によって運転を指示する。手元操作部１１から判断制御手段９に操作信号が送られ、操作された内容にしたがって、判断制御手段６１は初期値（例えば３００Ｗ）の電力で運転が行われるように駆動手段６１へ駆動信号を送る。駆動手段６１は送られてきた信号によって電動送風機２への通電を行い、電動送風機２は回転を開始し、吸引力が発生する。
【００３０】
この吸引力によって、吸込み具１６から吸引された塵埃は、延長管１３、ホース８を経て本体１内のダストボックスユニット４に集塵される。この間、集塵検出部の吸引経路内を塵埃が通過する、つまり発光部と受光部の間を塵埃が通過することで図９のように受光量が変化する。ここでこの受光量の変化は４％と変化が小さいため、このアナログ信号を増幅し、この結果が、所定の閾値を越えていれば、塵埃検出信号として出力する。
【００３１】
次に、塵埃計数手段６５は塵埃検出信号をカウントし、その蓄積されたカウント数が予め設定されたカウント数以上になったときに、判断制御手段６１は、脱臭投入可変手段６７に出力を行い脱臭用電動機６８が回転する。
【００３２】
さらに手元操作部１１にて停止操作をされたときにも判断制御手段６１は、一定時間脱臭投入可変手段６７に出力を行い脱臭用電動機６８が回転し、予め設定している時間が経過したら電動送風機２を停止させる。
【００３３】
脱臭用電動機６８が回転を行うことで、その回転力がギヤＡ２７、ギヤＢ２８の順に伝達され、クランクシャフト３５が軸回転し、クランクアーム３４を介して摺動軸３７が往復の直線運動となり、摺動軸３７に固定されたワイヤ４０を介して、摺動軸４１も同様の往復の直線運動となる。摺動軸４１に固定された刃押え枠５４も同様の往復の直線運動となる。よって刃押え枠５４に固定された切削刃５２は往復運動を繰り返すことになる。同時に脱臭剤４５は底面が削られて粒状化して切削刃の開口穴から落下し、刃受台５３の連通路５３ａ、５３ｂを通り、パッキン５５の開口穴５５ａ、５５ｂから落下する。掃除機本体１が運転されるとパッキン５５内面に設けられたガイド部と接続パイプ９外面との間でできた空間部５９を通って、ダストボックスユニット４内に塵埃と吸引される。所定の脱臭剤がダストボックスユニット４内に集塵される一定時間が経過した後脱臭用電動機６８は停止し、塵埃計数手段６５の蓄積されたカウント数をリセットし初期からカウント蓄積を開始する。カウント値が脱臭用電動機６８を回転するまでに至らずに掃除が終了された場合には終了前の蓄積値を記憶して、次回の掃除はこの記憶されたカウント値から蓄積を開始するように動作する。臭いの強い塵埃の脱臭を行うために使用者が投入量操作部６９を操作した場合には脱臭用電動機６８の回転時間を長くしたり、脱臭用電動機６８を回転させる蓄積カウント数を少なくすることで判断制御手段は６１は脱臭剤投入量を多くすることができる。
【００３４】
以上の構成の電気掃除機を用いて、本発明の効果を調べる。
【００３５】
上記の掃除機を用いて実部屋の掃除を１５分間行った。対照実験として脱臭剤なしでも実部屋の掃除を１５分間行なった。排気臭気に気をつけながら、この掃除実験を１０日間続けた。結果は対照実験のものは５日目くらいから排気の臭気が気になったが、本実施の形態のものは１０日目の終了時までほとんど気にならなかった。
【００３６】
掃除機に吸引された塵埃量を比べてみたところ、１０日間の掃除で、本実施の形態も対照実験も、どちらもほぼ３０ｇ吸引していた。また本実施の形態の掃除機に設置した脱臭剤４５は１．２ｇ減量していた。よって、１日あたり平均３ｇの塵埃を吸引し、０．１２ｇの脱臭剤が投入されたことになる。
【００３７】
このとき、吸引により収集された塵埃を観察したところ、脱臭剤４５が粉体として塵埃にまとわりつき、また塵埃と混合されていることが確認された。これは、脱臭剤４５が粉体として投入され、吸引した塵埃と接触、混合されているものである。
【００３８】
次に、塵埃を３０ｇ吸引したこの状態で１日静置した後、１ｍ3の密閉チャンバ内に掃除機をセットし３０秒間運転させた。チャンバ内に排気された臭気をパネル６名で実際ににおいをかぎ官能評価した。結果は、本実施の形態は平均の臭気強度が１．８であったのに対して、対照実験は３．０であり、大幅な臭気の低減効果が確認された。
【００３９】
臭気強度２がにおいの認知閾値であることを考慮に入れると、臭気強度１．８はにおいとしては検知できても何のにおいかわからないレベルで、高いレベルで臭気の低減ができていることがわかる。
【００４０】
以上から、本実施の形態のように、吸引した塵埃に直接脱臭剤を投入することで、強力に塵埃の臭気を除去し、使用時だけでなく、静置時にも脱臭するため集塵部内での臭気の滞留が低減し、特に臭気レベルの高い掃除機使用初期時にも排気臭気の低減を図ることができる。また、脱臭剤の磨耗を利用した投入とすることにより、簡単な構成でコンパクトなものとすることができる。
【００４１】
（実施の形態２）
図１０は、本発明の第２の実施の形態における回路ブロック図である。７０は、塵埃検出手段６２の出力信号をオペアンプやコンパレータなどで構成し、増幅機能とフィルタ機能を持たせており、所定の第１増幅率をもつ第１増幅部で判定され出力する第１の塵埃検出信号と、さらに大きな第２増幅率をもつ第２増幅部で判定され出力する第２の塵埃検出信号とを出力する分別信号出力手段である。７１は第１の塵埃検出信号を受けてカウントする第１塵埃計数手段であり、７２は第２の塵埃検出信号を受けてカウントする第２塵埃計数手段である。その他の構成は実施の形態１と同様のため説明は省略する。
【００４２】
以下、その動作を説明する。
【００４３】
電動送風機２の吸引力によって、吸引された塵埃は、ホース８を経て本体１内のダストボックスユニット４へ集塵される。この間、集塵検出部の吸引経路内を塵埃が通過する、つまり発光部と受光部の間を塵埃が通過することで受光量が変化するので、塵埃検出手段６２は、検出信号として分別信号出力手段７０に送る。分別信号出力手段７０では受けた信号をまず、第１増幅部で増幅し、この結果が、所定の閾値を越えていれば、第１の塵埃検出信号として出力する。さらに、第１の塵埃検出信号として出力するレベルであるかないかに関わらず、第２増幅部での増幅結果が、所定の閾値を越えていれば、第２の塵埃検出信号として出力する。つまり、図１１に示すように比較的大きな塵埃の場合には、第１増幅率でも反応したと判定できるので、第１の塵埃検出信号、第２の塵埃検出信号ともに出力される。小さな塵埃の場合には第１増幅率では判定レベルに達せず、第２増幅率でのみ反応したと判定できるので、第２の塵埃検出信号のみが検出される。増幅率の差で判定を分別することで、受発光部分の通過速度が等しく、パルス幅では十分な差が得られない塵埃（例えば径が０．１ｍｍの塵埃と０．０３ｍｍの塵埃）であっても、信号として区別できる。
【００４４】
２つの増幅率でゴミの大きさが区別できるため、それぞれのゴミのカウント数を蓄積する際に粒子径０．０３ｍｍ検出は１１カウントで粒子径０．１ｍｍの１カウント分とすることでダストボックスユニット４内に集塵される集塵量が精度よく分かる。そのため集塵量における脱臭剤量が精度よく投入できる。
【００４５】
（実施の形態３）
図１２は、本発明の第３の実施の形態における回路ブロック図である。７３は電動送風機２の負荷電流を検出する電流検知手段であり、判断制御手段６３に入力されている。
【００４６】
以下、その動作を説明する。
【００４７】
電動送風機２の吸引によって吸引された塵埃は、ホース８を経て本体１内のダストボックスユニット４へ集塵される。集塵されたことによって風量が低下するため電動送風機２の負荷電流は小さくなってくる。この負荷電流の変化を電流検知手段７３で検出して、予め設定されている負荷電流になったことを検出して脱臭用電動機６８を動作させる。掃除機は塵埃が集塵されていない状態では風量が２．３ｍ3／ｍｉｎで塵埃がダストボックスユニット４内に満杯になったときが１．１ｍ3／ｍｉｎであるとすると０．２ｍ3／ｍｉｎ風量低下毎に脱臭剤４５を投入するようにする。また臭いの強い塵埃の脱臭を行うために使用者が脱臭用電動機６８を操作した場合には例えば０．１ｍ3／ｍｉｎ毎に脱臭剤４５を投入することで対応ができる。
【００４８】
また電動送風機２が動作した時間を計時する動作計時手段７４を備えて、掃除時間の時間間隔ごとに脱臭剤４５を投入することでも同様の効果が得られる。臭いの強い塵埃の脱臭を行うために使用者が脱臭用電動機６８を操作した場合には例えば通常が１０分毎の投入であれば５分毎と投入間隔を変えることで対応ができる。
【００４９】
なお、本実施の形態では脱臭剤としてゼオライトを使用したが、ゼオライト以外にも、シリカ、アルミナ、活性炭などでも、掃除塵埃のような複合臭気を低減させ、同様の効果があるものである。
【００５０】
また本実施の形態では、切削刃により脱臭剤を主に粉状にするものを中心に説明したが、粒状にするものでも、問題ないものである。
【産業上の利用可能性】
【００５１】
以上のように、本発明にかかる電気掃除機は、コンパクトで簡便な手段により塵埃の臭気を除去し、大幅に排気の臭気を低減できる。
【図面の簡単な説明】
【００５２】
【図１】本発明の実施の形態１における電気掃除機の全体斜視図
【図２】同電気掃除機の断面図
【図３】同電気掃除機の動力伝達手段の分解斜視図
【図４】（ａ）同電気掃除機のワイヤ機構部動作を示す断面図（ｂ）同電気掃除機のワイヤ機構部動作を示す他の断面図
【図５】同電気掃除機内部の動力伝達構成を示す図
【図６】同脱臭剤収納部の分解斜視図
【図７】同脱臭剤収納部の断面図
【図８】同電気掃除機の回路ブロック図
【図９】同電気掃除機の塵埃検出手段の動作説明図
【図１０】本発明の実施の形態２における電気掃除機の回路ブロック図
【図１１】同電気掃除機の塵埃検出手段の増幅率補正の動作説明図
【図１２】本発明の実施の形態３における電気掃除機の回路ブロック図
【符号の説明】
【００５３】
２    電動送風機
３    塵埃捕集手段
４５  脱臭剤
６２  塵埃検出手段
６３  判断手段（判断制御手段）
６７  脱臭投入可変手段
６８  投入手段（脱臭用電動機）
７０  分別信号出力手段
７３  電流検知手段
７４  動作計時手段
【図１】
2007111086.tif 000003
【図２】
2007111086.tif 000004
【図３】
2007111086.tif 000005
【図４】
2007111086.tif 000006
【図５】
2007111086.tif 000007
【図６】
2007111086.tif 000008
【図７】
2007111086.tif 000009
【図８】
2007111086.tif 000010
【図９】
2007111086.tif 000011
【図１０】
2007111086.tif 000012
【図１１】
2007111086.tif 000013
【図１２】
2007111086.tif 000014